(57)【要約】【課題】  ＡＬＣパネル等の薄型パネルを建築物の躯体に取り付けるための自重受け金具であって、製作が簡単できれいに仕上がる自重受け金具と、その自重受け金具を使用した施工方法が極めて簡単な薄型パネルの取付構造を提供する。【解決手段】  垂直面と水平面とからなる直角をなす２面が断面Ｌ字型に一体成型され、前記水平面の長手方向両端部が前記垂直面の幅よりも長く延長されて構成されたパネルの自重受け金具とした。  建物躯体のパネルが接する面の小口面に、パネルの自重受け金具の垂直面の小口面の一方を当接させて溶接接合する。【選択図】図４
2005344443.tif 000002
【特許請求の範囲】
【請求項１】
パネルを建物躯体等に取り付ける際に用いられる自重受け金具であって、垂直面と水平面とからなる直角をなす２面が断面Ｌ字型に一体成型され、前記水平面の長手方向両端部が前記垂直面の幅よりも長く延長されて構成されてなることを特徴とするパネルの自重受け金具。
【請求項２】
前記水平面の延長部の長さが両端部とも同じ長さに延長形成されてなることを特徴とする請求項１に記載のパネルの自重受け金具。
【請求項３】
前記断面Ｌ字型の各面の厚さが、建物躯体の取付面の厚さと同じであることを特徴とする請求項１または請求項２に記載のパネルの自重受け金具。
【請求項４】
前記水平面の延長部の長さが、建物躯体の取付面の幅と等しいかもしくは取付面の幅よりも小さいことを特徴とする請求項１から請求項３のいずれか１項に記載のパネルの自重受け金具。
【請求項５】
建物躯体のパネルが接する面の小口面に、請求項１から請求項４のいずれか１項に記載のパネルの自重受け金具の垂直面の小口面の一方を当接させて溶接接合し、該自重受け金具の水平面にパネル下端の小口を載置してパネルの自重を受けることを特徴とするパネルの取付構造。
【請求項６】
前記建物躯体のパネルが接する面と自重受け金具の垂直面が同一平面をなしていることを特徴とする請求項５に記載のパネルの取付構造。
【発明の詳細な説明】
【技術分野】
【０００１】
本発明は、ＡＬＣパネル（以下、単にパネルという）などの取付構造に関し、詳しくは特に建物の壁を構成するパネルの自重を受けるための自重受け金具とパネルの取付構造に関するものである。
【背景技術】
【０００２】
近年、建築物では壁をパネルによって構成することが多く、例えばＡＬＣパネルはコンクリートに比べて多孔質であるため軽量性及び断熱性に優れており、これらの特性を生かして建物の内外壁用パネルとして広く使用されている。このような建物ではパネルの自重は躯体に取り付けられたアングル等の下地に自重受け金具を取付けることによって支持されている（例えば、特許文献１参照。）。
【特許文献１】特開２００２−０８８９５８号公報
【０００３】
また、ＡＬＣパネルなどを横積みして壁面を構成する場合においても、その自重受け金具は図７に一部パネルを取り外した外観斜視図で示すように、一般的に柱などの躯体２に下地アングル３が溶接固定されている。そして下地アングル３の垂直面にパネルの寸法と
対応する間隔で、アングル材からなる自重受け金具１５が溶接固定されている。
図８は、図７に示した取付構造の自重受け金具１５を含む断面図を示す。また、図９は、図７において自重受け金具１５の下地アングル３への取付構造を示す斜視図である。
ところで、図８、図９示すように自重受け金具１５はアングル材を必要長さに切断しただけのものであり、下地アングル３の表面３ａに自重受け金具１５の垂直面１５ａの裏側１５ｂが接するように溶接固定されるため、下地アングルの表面３ａと自重受け金具１５の垂直面１５ａとの間には、自重受け金具１５の鋼材厚さに相当する間隙が形成される。
そこで、この間隙を排除し壁面の面一性を保持するため、パネル１の自重受け金具１５に対応する部分に現場において切り欠き１６を形成する切削作業を行っている。
【発明の開示】
【発明が解決しようとする課題】
【０００４】
しかし、現場において自重受け金具の位置に合わせて個々のパネル毎に切り欠きを形成する切削作業を行うと、施工効率が低下することやゴミが増えるなどの問題がある。さらに室内側に仕上げが施されない場合、切り欠きの技術や寸法のばらつきが生じることがあり、強度および意匠上好ましくないとされるなどの問題もあった。
そこで、本発明の目的は、上記課題を解決し施工現場でのパネルの切削加工をなくすことで作業性を向上させ、さらに意匠上も問題とならないパネル自重受け金具とその取付構造を提供することにある。
【課題を解決するための手段】
【０００５】
本発明では、施工現場でのパネルの切削加工をなくし、かつ製作の容易な自重受け金具を準備し、自重受け金具を躯体に溶接接合するのみでパネルが取り付けられ、意匠上も問題とならない取付構造を採用した。
すなわち、本発明のパネルの自重受け金具は、パネルを建物躯体等に取り付ける際に用いられる自重受け金具であって、垂直面と水平面とからなる直角をなす２面が断面Ｌ字型に一体成型され、前記水平面の長手方向両端部が前記垂直面の幅よりも長く延長されて構成されてなるパネルの自重受け金具とした。
このようなパネルの自重受け金具をあらかじめ準備しておけば、所定の位置にパネルの自重受け金具を溶接接合するだけで、パネルの切削加工をすることなくパネルを取り付けることができるので施工効率が向上し、ゴミの発生もない。また意匠上も目地が揃って見栄えの良いものとなる。
【０００６】
本発明のパネルの自重受け金具では、水平面の延長部の長さが両端部とも同じ長さに延長形成するのが好ましい。
また、断面Ｌ字型の各面の厚さが、建物躯体の取付面の厚さと同じであることが好ましい。
さらに、水平面の延長部の長さを、建物躯体の取付面の幅と等しいかもしくは取付面の幅よりも小さくすることが好ましい。
パネルの自重受け金具をこのように構成しておけば、パネルを取り付ける場合に隙間が生じることなくきっちり収まるので、強度が向上して意匠上もパネル面が同一面に揃って見栄えの良いものとなる。
また、取付け勝手方向を考慮する必要がないため金物の種類を削減でき、作業性が一層向上すると共に、在庫管理や製造管理に要するコストを削減することができる。
【０００７】
本発明のパネルの取付構造は、建物躯体のパネルが接する面の小口面に、前記本発明のパネルの自重受け金具の垂直面の小口面の一方を当接させて溶接接合し、該自重受け金具の水平面にパネル下端の小口を載置してパネルの自重を受ける取付構造とした。
本発明のパネルの取付構造においては、前記建物躯体のパネルが接する面と自重受け金具の垂直面が同一平面をなしていることが好ましい。
強度が向上するとともに意匠上もパネル面が同一面に揃って見栄えの良いものとなるからである。
【発明の効果】
【０００８】
本発明によれば、パネルの施工現場で追加加工を施す必要がないため、パネルを取り付ける際の作業性が向上すると共に、意匠上問題となることもない。また左右対称の形状としたことで、取付け勝手方向を考慮する必要がないため金物の種類を削減でき、作業性を一層向上すると共に、在庫管理や製造管理に要するコストを削減することができる利点がある。
【発明を実施するための最良の形態】
【０００９】
以下図面を使用して本発明を詳しく説明する。
図１は、本発明のパネルの自重受け金具の外観斜視図であり、（ａ）は、水平面側から見た図、（ｂ）は垂直面側から見た図である。
図に示すとおり本発明のパネルの自重受け金具４は、垂直面４ａと水平面４ｂの２面が直角をなして断面Ｌ字型に一体成型されており、前記水平面４ｂの長手方向両端部４ｅ，４ｆが前記垂直面４ａの幅よりも長く延長されて構成されている。
【００１０】
本発明のパネルの自重受け金具は、例えばアングル鋼材を所定の長さに切断し、一辺の両端を所定の幅だけ切り落とすことにより簡単に得ることができる。
その際、水平面の延長部の長さが両端部とも同じ長さに延長形成すれば、取付け勝手方向を考慮する必要がないため好ましい。
本発明のパネルの自重受け金具では、断面Ｌ字型の各面の厚さが建物躯体の取付面の厚さと同じであることが好ましい。例えば、躯体に使用するアングル鋼材と同じ規格のアングル鋼材を使用すれば、容易に得ることができる。
このように構成しておけば、パネルの自重受け金具を建物躯体に溶接接合する場合に、作業性が良くなるとともに、溶接強度に優れた接合をすることができるからである。
【００１１】
図２に本発明のパネルの自重受け金具を使用したパネルの取付状態を断面図で示す。
図に示すように、下地アングル３の取付面の端面３ａの厚さとパネルの自重受け金具４の垂直面４ｄの厚さが一致しており、両者は同一平面を構成して取り付けられている。
これを躯体を横切る平面で切断した断面図を図３に示す。また、図４に外観斜視図を示す。
図３，図４に示すように、下地アングル３の取付面の端面３ａとパネルの自重受け金具４の垂直面４ｄの両者は同一平面を構成して取り付けられている。そして両者の接合部分に溶接ビートがきれいに盛られているので完全な溶接接合が行われている。そのため充分な強度を発揮し、パネルの自重に耐えることが可能となる。
【００１２】
図５は本発明の自重受け金具を使用したパネルの取付構造の一実施形態を示す斜視図である。図５において、パネル１は建築物の躯体２に溶接固定された縦アングル鋼材からからなる下地アングル３に、本発明の自重受け金具４を介して横積み配置されている。また、下地アングル３にはパネル１の自重を受ける自重受け金具４がパネル数段分の間隔で溶接固定されている。
この取付構造を採用すれば、下地アングル３のパネルとの接合面が平坦な同一面で構成されているので、パネルの表面も凹凸のないきれいな平面となり、目地も揃って美しく仕上げることができる。
【００１３】
図６は、躯体２がＨ形鋼の場合のパネルの取付状態を示す外観斜視図である。この場合も躯体２の取付面の端面２ａとパネルの自重受け金具４の垂直面４ｄの両者は同一平面を構成して取り付けられている。そして両者の接合部分に溶接ビートがきれいに盛られているので完全な溶接接合が行われている。そのため充分な強度を発揮し、パネルの自重に耐えることが可能となる。
【図面の簡単な説明】
【００１４】
【図１】本発明のパネル自重受け金具の外観斜視図であって、（ａ）は水平面側から見た図、（ｂ）は垂直面側から見た図である。
【図２】図１に示すパネルの取付状態を示す断面図である。
【図３】図１に示すパネルの取付状態の躯体を横切る平面で切断した断面図である。
【図４】本発明の自重受け金具の取付方法の一例を示す斜視図である。
【図５】本発明のパネルの取付構造の一例を示す外観斜視図である。
【図６】本発明の自重受け金具の取付方法の他の例を示す斜視図である。
【図７】従来のパネルの取付構造の一例を示す外観斜視図である。
【図８】従来のパネルの取付構造の一例を示す断面図である。
【図９】従来のパネルの取付金具の一例を示す外観斜視図である。
【符号の説明】
【００１５】
１        パネル
２        躯体
３        下地アングル
４        自重受け金具
５        溶接ビート
１５      自重受け金具
【図１】
2005344443.tif 000003
【図２】
2005344443.tif 000004
【図３】
2005344443.tif 000005
【図４】
2005344443.tif 000006
【図５】
2005344443.tif 000007
【図６】
2005344443.tif 000008
【図７】
2005344443.tif 000009
【図８】
2005344443.tif 000010
【図９】
2005344443.tif 000011